(57)【要約】【課題】  手摺取付金具を縦横いずれの方向で挟持しても、手摺柱が鉛直上向きに起立固定可能とすることで、器材を兼用でき、さらに運搬時はコンパクトにすることができる手摺取付金具を提供する。【解決手段】  略コの字形に構成する手摺取付金具１のフレームに手摺柱８を設け、手摺柱８はその基端部で手摺取付金具１のフレームに回動可能に軸支され、手摺取付金具１の略コの字形の開口を下向きにして横方向にパラペット等を挟持する際も、略コの字形の開口を横向きにして縦方向に挟持する際も、いずれも手摺柱８を鉛直上向きに起立固定可能とした。【選択図】図１
0003184052.tif 000002
【実用新案登録請求の範囲】
【請求項１】
建設現場等のパラペットや屋根平坦部等の横方向の凸部を、略コの字形をしたクランプ状の手摺取付金具で横方向または縦方向に挟持する形で固定して、前記手摺取付金具に手摺を取り付けるようにした転落防止手摺において、
略コの字形に構成する手摺取付金具のフレームに手摺柱を設け、
手摺柱はその基端部で手摺取付金具のフレームに回動可能に軸支され、
手摺取付金具の略コの字形の開口を下向きにして横方向にパラペット等を挟持する際も、略コの字形の開口を横向きにして縦方向に挟持する際も、いずれも手摺柱を鉛直上向きに起立固定可能とした手摺取付金具。
【請求項２】
手摺取付金具を使用しないときは手摺柱を手摺取付金具に添わせてコンパクトに折り畳むことができる請求項１記載の手摺取付金具。
【考案の詳細な説明】
【技術分野】
【０００１】  本考案は、建設現場の建物屋上のパラペットや平坦屋根端部の横方向の凸部、鉄骨等に転落防止手摺を設置するために使用する手摺取付金具に関する。
【背景技術】
【０００２】  建設現場の建物屋上のパラペットに取り付けるパラペット用手摺としては、実用新案登録第３０８３４９３号公報に示されるように、手摺柱とパラペットに取り付ける金具が一体となり、その手摺柱に手摺パイプや鎖を取り付けるようにしたものが知られている。【０００３】  前記パラペット用手摺では、パイプを素材として構成された水平部と、水平部の内方端部から上方に設けた垂直部と、水平部の外方端部から下方に設けた略半円状部からなる手摺柱と、手摺柱の水平部の内方から下方に内方脚を設け、内方脚の位置はその挟持金具が水平部を挟む位置を変えて調節自在とし、内方脚からネジ棒を回すことにより進退する内方圧着板を設け、手摺柱の略半円状部と内方圧着板とでパラペットを横方向に挟持することで、パラペット用手摺を固定している。【０００４】  また、建設現場の平坦屋根端部など横方向の凸部や、二階建て以上の建築物の階段用開口などに転落防止手摺を設ける一例として、実開平４−４８３６０号公報にはコンクリートフロア端部を縦方向に挟持して手摺柱を設置する落下防護用仮設柵が示されている。【０００５】  この落下防護用仮設柵では、一端部に手すりが取り付けられ、他端側には複数個のピン挿通孔が軸線方向に適宜間隔をおいて設けられた支柱と、この支柱に相対摺動自在に嵌装されて周面に軸線方向に長い長孔を有すると共に外周面には雄螺子が形成された螺子管と、前記螺子管に設けられた第一の挟持体と、前記支柱の他端部に取付けられ前記第一の挟持体と共に構造物を挟持する第二の挟持体、前記ピン挿通孔のいずれか一つに選択的に挿通されてその端部が前記長孔に挿入されるピンと、前記螺子管に螺合され前記ピンを前記長孔に沿って移動させるナット部材とで構成されている。【０００６】  上記の落下防護用仮設柵では、ナット部材の回転操作によって第一、第二の挟持体がフロアを挟持するため、その取付、取り外し作業が簡単かつ容易で、強度が大きく開口部からの落下を防止することができるとしている。
【先行技術文献】
【特許文献】
【０００７】
【特許文献１】実用新案登録第３０８３４９３号公報
【特許文献２】実開平４−４８３６０号公報
【考案の概要】
【考案が解決しようとする課題】
【０００８】  上記従来の特許文献１や特許文献２に示されるような手摺では、固定するために挟持する方向が決まっており、異方向に挟持したのでは手摺を形成できない。すなわち、取り付けるための金具が縦方向と横方向に兼用して挟持できないので、構造物の場所によって器材を共通化できない。【０００９】  また、特許文献２の落下防護用仮設柵では、支柱に設けられたピンを抜くことで第一、第二の挟持体を支柱から取り外すことができ、現場での分解と組立作業が容易で、可搬性に優れているとしているが、特許文献１のパラペット用手摺では、手摺柱とパラペットに取り付ける金具が一体で嵩が大きく、運搬や輸送が容易でない。これらの器材が使用されるのは通常高所であるから、その高さまで器材を運搬するためにはコンパクトであることが望ましい。【００１０】  そこで本考案では、建設現場等のパラペットや平坦屋根端部の横方向の凸部を、略コの字形をしたクランプ状の手摺取付金具で横方向または縦方向に挟持する形で固定して、前記手摺取付金具に手摺を取り付けるようにした転落防止手摺において、手摺取付金具を縦横いずれの方向で挟持しても、手摺柱が鉛直上向きに起立固定可能とすることで、器材を兼用でき、さらに運搬時はコンパクトにすることができる手摺取付金具を提供することを目的とする。
【課題を解決するための手段】
【００１１】  請求項１の手摺取付金具１は、建設現場等のパラペットや平坦屋根端部等の横方向の凸部を、略コの字形をしたクランプ状の手摺取付金具で横方向または縦方向に挟持する形で固定して、前記手摺取付金具に手摺を取り付けるようにした転落防止手摺において、略コの字形に構成する手摺取付金具１のフレームに手摺柱８を設け、手摺柱８はその基端部で手摺取付金具１のフレームに回動可能に軸支され、手摺取付金具１の略コの字形の開口を下向きにして横方向にパラペット等を挟持する際も、略コの字形の開口を横向きにして縦方向に挟持する際も、いずれも手摺柱８を鉛直上向きに起立固定可能としたものである。【００１２】  請求項２の手摺取付金具１は、手摺取付金具１を使用しないときは手摺柱８を手摺取付金具１に添わせてコンパクトに折り畳むことができるようにしたものである。
【考案の効果】
【００１３】  請求項１の考案によれば、略コの字形に構成する手摺取付金具のフレームに手摺柱を設け、手摺柱はその基端部で手摺取付金具のフレームに回動可能に軸支され、手摺取付金具を横方向、縦方向いずれの方向で挟持して固定しても、手摺柱を鉛直上向きに起立固定可能とすることで、器材を兼用、共通化できるから、器材のコストも下げることができる。【００１４】  また、請求項２の考案によれば、手摺取付金具を使用しないときは手摺柱を手摺取付金具に添わせてコンパクトに折り畳むことができるようにしたから、嵩が小さくなって運搬と輸送が容易となる。
【図面の簡単な説明】
【００１５】
【図１】本考案の実施例に係る手摺取付金具をパラペットに取り付けた側面図である。
【図２】図１の正面図である。
【図３】図１の部分拡大図である。
【図４】図２の部分拡大図である
【図５】図４の平面図である。
【図６】本考案の実施例に係る手摺取付金具を平坦屋根端部の横方向の凸部に取り付けた場合を示す側面図である。
【図７】図６の正面図である。
【図８】本考案の実施例に係る手摺取付金具を使用しないときに折り畳んだ状態を示す側面図である。
【図９】図８の正面図である。
【図１０】図８の平面図である。
【考案を実施するための形態】
【００１６】  建設現場等のパラペットや平坦屋根端部等の横方向の凸部を、略コの字形をしたクランプ状の手摺取付金具で横方向または縦方向に挟持する形で固定して、前記手摺取付金具に手摺を取り付けるようにした転落防止手摺において、挟持する方向に左右されずに兼用できる手摺取付金具を提供するという目的を、略コの字形に構成する手摺取付金具のフレームに手摺柱を設け、手摺柱はその基端部で手摺取付金具のフレームに回動可能に軸支され、手摺取付金具の縦横いずれの方向に挟持しても手摺柱を鉛直上向きに起立固定可能とすることで実現した。
【００１７】  また、使用しないときはコンパクトにすることができる手摺取付金具を提供するという目的を、回動可能な手摺柱を手摺取付金具に添わせてコンパクトに折り畳むことで実現した。
【実施例】
【００１８】  以下に、図面を参照しながら本考案の実施例について説明する。図１に示すのは本考案の実施例に係る手摺取付金具１を建物屋上のパラペット２０に取り付けた図である。【００１９】  手摺取付金具１は略コの字形の金具で、略コの字形の開口を下向きとしてパラペット２０の上から被り、パラペット２０の内面２０ａと外面２０ｂを挟持して固定するもので、パラペット２０に沿って所定間隔をあけて複数取り付け、手摺取付金具１からはパラペット２０の内方に手摺柱８を起立させて設け、手摺柱８間に手摺パイプ１０を掛け渡して固定し、転落防止手摺を構築するものである。【００２０】  手摺取付金具１は主として外方挟持金具２と内方挟持金具３からなる。図３に示すように、外方挟持金具２にはパラペット外面２０ｂに直交してパラペット２０の内方へとパラペット２０上端の上方を横断する水平な金具フレーム２ａと、金具フレーム２ａのパラペット２０外方の端部から下垂する外方下垂フレーム２ｂと、外方下垂フレーム２ｂの下端からパラペット外面２０ｂへ向かって突出する外方当接板２ｃを設け、全体を横倒し「し」字形状に形成する。また、金具フレーム２ａはパラペット２０の内方へ内面２０ａよりもやや突出するよう長くしておく。【００２１】  上記金具フレーム２ａと外方下垂フレーム２ｂは鋼製の角パイプ材を使用して構成し、外方当接板２ｃは四角形状の平鋼板で、パラペット外面２０ｂに当接する面にゴム板等の弾性板をネジ止めしておく。これはパラペット２０に当接する部分に傷をつけないためと、しっかりと当接してずれないようにするためである。【００２２】  本実施例では金具フレーム２ａ、外方下垂フレーム２ｂは一辺が４０ｍｍの角パイプとし、金具フレーム２ａの水平方向の長さは約７４０ｍｍ、金具フレーム２ａ上端から外方下垂フレーム２ｂ下端までは約３４０ｍｍ、外方当接板２ｃは縦約１６０ｍｍ、横約１３０ｍｍの長方形としている。【００２３】  次に金具フレーム２ａのパラペット内面２０ａ付近の位置には内方挟持金具３を設ける。内方挟持金具３は主に金具フレーム２ａの外側に被るスライド管３ａと、スライド管３ａから下垂する腕状の内方下垂フレーム３ｂと内方下垂フレーム３ｂの下端から外方当接板２ｃと同じ高さでパラペット内面２０ａに当接する内方当接部材４からなる。【００２４】  スライド管３ａは金具フレーム２ａの外側に被る一回り大きな鋼製の角パイプ材で、上面には２カ所に貫通孔を設けるとともに、ナットを溶接して取り付け、そのナットに押しボルト５をネジ込んでスライド管３ａが金具フレーム２ａの任意の位置にスライドして固定できるようにしておく。【００２５】  このとき、押しボルト５のネジ先端と金具フレーム２ａの上面の間にはスライド管３ａよりも少し長い平板状の当板６を設ける。当板６はスライド管３ａのスライド方向の両端部に起立突起を設け、スライド管３ａが金具フレーム２ａをスライドした時に当板６が抜け出てくるのを防止しておく。当板６があることで、押しボルト５を締めつけた時に金具フレーム２ａのボルトが接触する部分だけが潰れるのを防いで、確実に固定できるようになる。【００２６】  内方下垂フレーム３ｂは外方下垂フレーム２ｂと同様の角パイプ材のフレームで、その下端付近にはパラペット内面２０ａに向けた貫通孔と、貫通孔と同軸で図示しないナットをパイプ内部に設けておく。そして前記ナットと貫通孔を通して内方当接部材４を設ける。【００２７】  内方当接部材４は、前記内方下垂フレーム３ｂ内部のナットを通る寸切りボルト状の圧着ネジ４ａと、圧着ネジ４ａのパラペット内面２０ａ側の端部に取り付けられ、自由に回転するよう固定された垂直板状の内方当接板４ｂと、内方当接板４ｂから設けられ、圧着ネジ４ａと平行にそのやや上方を内方下垂フレーム３ｂを貫通する回り止め棒４ｃを設ける。【００２８】  圧着ネジ４ａのパラペット内面２０ａ側の端部は段付丸棒形状とし、他方の端部は六角形状としてレンチ等で回せる形状としておく。内方当接板４ｂは側面視ハット形断面に折り曲げた鋼板で、凸内面をパラペット内面２０ａに向けて位置させ、凸面に貫通孔を設け、前記圧着ネジ４ａの段付の先細部を差し込んで割りピン等で抜けないようにしておく。【００２９】  内方当接板４ｂのパラペット内面２０ａに対向する面には外方当接板２ｃと同様にゴム板等の弾性板をネジ止めしておく。また、内方当接板４ｂの当接面の形状は外方当接板２ｃと略同じ形状と大きさとしておき、本実施例では前述のように縦長の長方形としている。【００３０】  また、内方当接板４ｂから内方下垂フレーム３ｂに向かって回り止め棒４ｃを設けているため、圧着ネジ４ａを回したときに内方当接板４ｂは共回りせず、確実に外方当接板２ｃと同じ高さでパラペット内面２０ａに当接させることができる。【００３１】  上記のように内方当接部材４を構成することで、圧着ネジ４ａを回すことで先端に設けられた内方当接板４ｂがパラペット内面２０ａに向かって進退し、外方当接部板２ｃとでパラペット２０を横方向に締めつけて狭持することができる。【００３２】  また、内方狭持金具３はスライド管３ａと押しボルト５によって金具フレーム２ａに沿って位置が変更可能となっており、パラペット２０の厚みが大きく変わった時は、押しボルト５を緩めて内方狭持金具３の位置を変更すればよい。また、金具フレーム２ａとスライド管３ａはそれぞれ角パイプで構成しているから、内方狭持金具３が金具フレーム２ａの長手直交方向に回ってしまうことは無く、外方当接板２ｃと内方当接板４ｂの高さが変化せずに、確実にパラペットを狭持できる。【００３３】  次に金具フレーム２ａのパラペット２０の内方端部に起立する手摺柱８を設ける。手摺柱８には金具フレーム２ａと同サイズの角パイプ材からなる縦に長い柱フレーム８ａと、柱フレーム８ａの下端部に左右から挟むように設けた一対の平板の角度変更板８ｂを設ける。【００３４】  一対の角度変更板８ｂはその端部が柱フレーム８ａよりもやや下方と、パラペット２０外方側にやや突出するようにし、図３に示すように孔８ｃ，８ｄ，８ｅを３カ所設けておく。そして金具フレーム２ａの端部を一対の角度変更板８ｂ間に下から挿入し、孔８ｄ、８ｅで金具フレーム２ａを貫通してボルトナットで固定する。【００３５】  このとき、角度変更板８ｂに設けた孔８ｃ，８ｄ，８ｅは孔８ｄを中心として、孔８ｃと孔８ｄの芯間距離と孔８ｄと孔８ｅの芯間距離が同一になるようにしておく。そして、金具フレーム２ａの孔８ｄの位置からパラペット２０外方へ、孔８ｃと８ｄ間の芯間距離の分横に貫通孔を設けておく。つまり、図１に示すように手摺柱８が起立した状態で、孔８ｅからボルトを抜き、孔８ｄのボルトを軸としてパラペット２０の外方と内方いずれの方向に水平となるまで倒したときにも、孔８ｃと孔８ｄにボルトを通すことで手摺柱８が金具フレーム２ａに沿って固定されるようにしておく。【００３６】  さらに、孔８ｄに挿通するボルトナットは手摺柱８の回動する支軸となるので、強く締めつけると回動しなくなる。したがって、緩めに締めつけておいて、ボルトの先端に割りピンを設け、通したナットが抜けてこないようにしておくとよい。孔８ｄのボルトは支軸として使用するので抜く必要は無く、孔８ｃまたは孔８ｅにボルトナットを差し替えることで手摺柱８は回動して鉛直状態と水平状態とで固定が可能となる。【００３７】  本実施例では、手摺柱８は起立させたときにその下端から上端までの長さは約６６０ｍｍとし、孔８ｄを軸としてパラペット２０外方へ水平となるまで倒した時に、手摺柱８の上端が金具フレーム２ａの端部と水平方向の位置が揃うようにした。【００３８】  手摺柱８の柱フレーム８ａには、その下端からやや上方と上端付近にパイプクランプ９を設ける。以上のように構成した手摺取付金具１をパラペット２０に沿って併設して取り付け、パイプクランプ９間にそれぞれ単管の手摺パイプ１０を掛け渡して固定することで、転落防止手摺を構築できることになる。【００３９】  次に図６から図８に示すように本実施例に係る手摺取付金具１を、建物の平坦屋根端部３０の横方向の凸部に取り付ける場合の使用方法について説明する。【００４０】  平坦屋根端部３０に手摺取付金具１を取り付ける場合には、外方狭持金具２の金具フレーム２ａを平坦屋根端部３０の外方へ起立させ、外方当接板２ｃが平坦屋根端部３０の下面、内方当接板４ｂが上面に当接するようにし、圧着ネジ４ａを回して平坦屋根端部３０を上下に挟んで狭持、固定する。【００４１】  そして、手摺柱８の角度変更板８ｂには孔８ｄにのみボルトが通っている状態として手摺柱８をその先端が鉛直上向きとなるよう回動させ、孔８ｃを通してボルトナットで固定する。【００４２】  上記のように固定した手摺取付金具１を平坦屋根端部３０に建物外周に沿って併設し、パイプクランプ９間にそれぞれ手摺パイプ１０を掛け渡して固定し、パラペット２０に取り付けた場合と同様に転落防止手摺を構成する。本考案の手摺取付金具１を用いれば、狭持する方向が縦方向でも横方向でも、手摺柱８を起立固定させることが容易で、器材も共通化できる。【００４３】  次に図８から図１０に示すように本実施例に係る手摺取付金具１は使用しないときはコンパクトに折り畳むことができる。【００４４】  手摺取付金具１を使用しないときは、内方狭持金具３のスライド管３ａの押しボルト５を緩めて内方当接板４ｂが外方当接板２ｃに当接するまでスライドさせ、押しボルト５を締めつけて固定する。【００４５】  次に、手摺柱８の角度変更板８ｂの孔８ｄ以外のボルトを抜きとり、外方下垂フレーム２ｂ側へと屈曲させるように倒し、金具フレーム２ａに添った状態で、孔８���にボルトを通してナットで固定する。【００４６】  以上のように手摺柱８を折り畳んで固定できるので嵩張らず、手摺取付金具１の運搬や輸送が容易に行える。【００４７】  以上の本考案は上記の各実施形態に限定されるものではなく、その要旨の範囲内で種々の変更が可能である。例えば、手摺柱８の角度変更板８ｂに３カ所の孔８ｃ，８ｄ，８ｅを設けて金具フレーム２ａに対して手摺柱８が直交、平行、一直線状の３つの形態に回動、固定できるように構成したが、構造物の傾斜した凸部に取り付けるときには、角度変更板８ｂに適宜固定孔を追加して、手摺柱８が鉛直上向きに起立するようにすればよい。【００４８】  手摺柱８を軸支するために角度変更板８ｂの孔８ｄにボルトナットを用いた例を示したが、丸棒を加工した軸部材でもよいし、支軸を抜き差しして手摺柱８を交換可能にしてもよい。【００４９】  金具フレーム２ａに設ける支軸となる孔の位置は限定される必要はなく、金具フレーム２ａの長手側面に複数孔を設けて支軸の位置を変更するようにしてもよい。
【符号の説明】
【００５０】    １  手摺取付金具
８  手摺柱
【図１】
0003184052.tif 000003
【図２】
0003184052.tif 000004
【図３】
0003184052.tif 000005
【図４】
0003184052.tif 000006
【図５】
0003184052.tif 000007
【図６】
0003184052.tif 000008
【図７】
0003184052.tif 000009
【図８】
0003184052.tif 000010
【図９】
0003184052.tif 000011
【図１０】
0003184052.tif 000012